【手続補正書】
【提出日】令和2年2月13日(2020.2.13)
【手続補正１】
【補正対象書類名】明細書
【補正対象項目名】０００９
【補正方法】変更
【補正の内容】
【０００９】
本発明に係る情報表示装置は、表示部に表示されたテキスト中の文字列をユーザ操作に応じて指定する文字列指定手段と、前記文字列指定手段により指定された文字列をキーワードとし、前記キーワードに対応付けられて記憶されている画像、または前記キーワードに対応する画像としてユーザが指定した画像を表示させる画像表示制御手段と、前記文字列指定手段により指定された文字列であるキーワードと前記画像表示制御手段により表示された画像との組を表示済みデータ組として登録する登録手段と、前記登録手段により前記表示済みデータ組として登録されたキーワードと画像に基づいて、前記キーワードに関する問題を出力する問題出力手段と、を備えている。
【手続補正２】
【補正対象書類名】特許請求の範囲
【補正対象項目名】全文
【補正方法】変更
【補正の内容】
【特許請求の範囲】
【請求項１】
表示部に表示されたテキスト中の文字列をユーザ操作に応じて指定する文字列指定手段と、
前記文字列指定手段により指定された文字列をキーワードとし、前記キーワードに対応付けられて記憶されている画像、または前記キーワードに対応する画像としてユーザが指定した画像を表示させる画像表示制御手段と、
前記文字列指定手段により指定された文字列であるキーワードと前記画像表示制御手段により表示された画像との組を表示済みデータ組として登録する登録手段と、
前記登録手段により前記表示済みデータ組として登録されたキーワードと画像に基づいて、前記キーワードに関する問題を出力する問題出力手段と、
を備えた情報表示装置。
【請求項２】
キーワードと画像との組を画像対応キーワードデータとして複数記憶している記憶手段を備え、
前記画像表示制御手段は、前記文字列指定手段により指定された文字列であるキーワードとの組として前記記憶手段に記憶されている画像を表示させ、
前記登録手段は、前記画像対応キーワードデータとして記憶されているキーワードと画像との組のうち、前記画像表示制御手段により表示された組に対応するキーワードと画像を前記表示済みデータ組として登録する、
請求項１に記載の情報表示装置。
【請求項３】
前記文字列指定手段は、前記指定された文字列をキーワードとして他の文字列と識別して表示し、
前記画像表示制御手段は、前記文字列指定手段により前記キーワードが識別して表示されている状態でユーザが指定した画像を前記キーワードに対応する画像として表示させる、
請求項１または請求項２に記載の情報表示装置。
【請求項４】
前記画像表示制御手段により表示された画像中の画像部分をユーザ操作に応じて指定する画像部分指定手段を有し、
前記登録手段は、前記画像部分指定手段により前記表示された画像中の画像部分が指定された場合に、前記文字列指定手段により指定された文字列であるキーワードに前記画像部分指定手段により指定された画像部分を対応付けて前記表示済みデータ組として登録し、
前記問題出力手段は、前記登録手段により登録されたキーワードと画像部分に基づいて、前記キーワード及び前記画像部分に関する問題を出力する、
請求項１〜請求項３の何れか１項に記載の情報表示装置。
【請求項５】
前記問題出力手段は、前記登録手段により登録されたキーワードと画像とをランダムに配置しユーザに並べさせる問題を出力する、
請求項１〜請求項４の何れか１項に記載の情報表示装置。
【請求項６】
前記問題出力手段は、前記表示済みキーワード登録手段により登録されたキーワードと画像とをキーワードを隠した状態で対応付けて配置し、隠したキーワードをユーザに入力させる問題を出力する、
請求項１〜請求項４の何れか１項に記載の情報表示装置。
【請求項７】
前記問題出力手段は、前記表示済みキーワード登録手段により登録された画像部分を隠して前記登録されたキーワードをユーザに当て嵌めさせる問題を出力する、
請求項４に記載の情報表示装置。
【請求項８】
前記問題出力手段は、前記表示済みキーワード登録手段により登録された画像部分をヒントとして前記登録されたキーワードを隠し、隠したキーワードをユーザに入力させる問題を出力する、
請求項４に記載の情報表示装置。
【請求項９】
表示部に表示されたテキスト中のキーワードをユーザ操作に応じて指定するキーワード指定手段と、
前記指定されたキーワードが画像に対応づけられたキーワードであると判断された場合に、前記表示部に前記指定されたキーワードに対応づけられた画像を表示させる画像表示制御手段と、
前記キーワード指定手段により指定されたキーワードに前記画像表示制御手段により表示された画像を対応付けて表示済みデータとして登録する表示済みキーワード登録手段と、
前記表示済みキーワード登録手段により登録されたキーワードと画像に基づいた問題を出力する問題出力手段と、
前記表示されたテキスト中の文字列をユーザ操作に応じて追加のキーワードとして指定する追加キーワード指定手段と、
前記追加キーワード指定手段により指定されたテキスト中の追加のキーワードに対応する文字列を識別表示させる追加キーワード識別表示手段と、を備え、
前記キーワード指定手段により前記表示されたテキスト中のキーワードがユーザ操作に応じて指定され、前記追加キーワード指定手段により前記表示されたテキスト中の追加のキーワードがユーザ操作に応じて指定された場合、前記表示済みキーワード登録手段は、前記キーワード指定手段により指定されたキーワードに前記追加キーワード指定手段により指定された追加のキーワードと前記画像表示制御手段により表示された画像とを対応付けて表示済みデータとして登録し、前記問題出力手段は、前記表示済みキーワード登録手段により登録されたキーワードと追加のキーワードと画像に基づいた問題を出力する、
情報表示装置。
【請求項１０】
前記表示済みキーワード登録手段により、前記キーワード指定手段により指定されたキーワードに前記追加キーワード指定手段により指定された追加のキーワードと前記画像表示制御手段により表示された画像とが対応付けられて表示済みデータとして登録された場合、前記追加キーワード識別表示手段により識別表示された前記テキスト中の追加のキーワードに対して前記キーワード指定手段により指定され前記表示済みデータとして登録されたキーワードもあわせて表示させる登録キーワード対応表示制御手段を備えた、
請求項９に記載の情報表示装置。
【請求項１１】
表示部に表示されたテキスト中の文字列をユーザ操作に応じて指定する文字列指定ステップと、
前記文字列指定ステップにより指定された文字列をキーワードとし、前記キーワードに対応付けられて記憶されている画像、または前記キーワードに対応する画像としてユーザが指定した画像を表示させる画像表示制御ステップと、
前記文字列指定ステップにより指定された文字列であるキーワードと前記画像表示制御ステップにより表示された画像との組を表示済みデータ組として登録する登録ステップと、
前記登録ステップにより前記表示済みデータ組として登録されたキーワードと画像に基づいて、前記キーワードに関する問題を出力する問題出力ステップと、
からなる情報表示方法。
【請求項１２】
コンピュータを、
表示部に表示されたテキスト中の文字列をユーザ操作に応じて指定する文字列指定手段、
前記文字列指定手段により指定された文字列をキーワードとし、前記キーワードに対応付けられて記憶されている画像、または前記キーワードに対応する画像としてユーザが指定した画像を表示させる画像表示制御手段、
前記文字列指定手段により指定された文字列であるキーワードと前記画像表示制御手段により表示された画像との組を表示済みデータ組として登録する登録手段、
前記登録手段により前記表示済みデータ組として登録されたキーワードと画像に基づいて、前記キーワードに関する問題を出力する問題出力手段、
として機能させるためのコンピュータ読み込み可能なプログラム。